【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
第１の医療感知装置に通信可能に接続する計算装置を備える医療感知システムであって、
前記計算装置は、
第１の医療感知手法に関連し、前記第１の医療感知手法に関連する第１の患者データを前記第１の医療感知装置から受信するように操作可能である第１のデータ取得モジュールであって、前記第１の取得モジュールは、前記第１の患者データを含有する第１の複数のメッセージを作成するようにさらに操作可能である第１のデータ取得モジュールと、
前記第１の複数のメッセージを前記第１のデータ取得モジュールから受信し、一時的に記憶するように操作可能であるメッセージキューモジュールと、
前記第１の医療感知手法に関連し、前記第１の複数のメッセージを前記メッセージキューモジュールから取り出し、前記第１の複数のメッセージ内の前記第１の患者データを処理し、前記処理された第１の患者データを含有する第２の複数のメッセージを前記メッセージキューモジュールに送信するように操作可能である第１の処理モジュールと、
前記第１の医療感知手法に関連し、前記第２の複数のメッセージを前記メッセージキューモジュールから取り出し、前記処理された第１の患者データを第１のグラフィカルユーザインタフェース内で提示するように操作可能である第１のユーザインタフェースモジュールと、
を含む、医療感知システム。
【請求項２】
請求項１に記載の医療感知システムであって、
前記第１のデータ取得モジュールは複数の取得モジュールのうちの１つであり、
前記第１の処理モジュールは複数の処理モジュールのうちの１つであり、
前記第１のユーザインタフェースモジュールは複数のユーザインタフェースモジュールのうちの１つである、医療感知システム。
【請求項３】
前記計算システムは、アプリケーションプログラミングインタフェースを前記複数の処理モジュールに露出するように操作可能である処理スタックを含む、請求項２に記載の医療感知システム。
【請求項４】
前記処理スタックは、前記複数の処理モジュールまたは前記処理スタックの既存の処理モジュールを変えずに、追加の処理モジュールが前記複数の処理モジュールに追加されてもよいという点で、前記複数の処理モジュールがお互いに独立するように構成される、請求項３に記載の医療感知システム。
【請求項５】
前記複数のユーザインタフェースモジュールまたは前記処理スタックの既存のユーザインタフェースモジュールを変えずに、追加のユーザインタフェースモジュールが前記複数のユーザインタフェースモジュールに追加されてもよいという点で、前記複数のユーザインタフェースモジュールはお互いに独立している、請求項２に記載の医療感知システム。
【請求項６】
前記第１の複数のメッセージのそれぞれは、前記第１の患者データの一部と、前記第１の患者データの前記一部に関連する情報とを含有する、請求項１に記載の医療感知システム。
【請求項７】
前記情報は前記第１の医療感知手法を識別する情報を含む、請求項６に記載の医療感知システム。
【請求項８】
請求項１に記載の医療感知システムであって、前記計算システムはさらに、
第２の医療感知手法に関連し、前記第２の医療感知手法に関連する第２の患者データを第２の医療感知装置から受信するように操作可能である第２のデータ取得モジュールであって、前記第２の取得モジュールはさらに、前記第２の患者データを含有する第３の複数のメッセージを作成するように操作可能である第２のデータ取得モジュールと、
前記第２の医療感知手法に関連し、前記第３の複数のメッセージを前記メッセージキューモジュールから取り出し、前記第３の複数のメッセージ内の前記第２の患者データを処理し、前記処理された第２の患者データを含有する第４の複数のメッセージを前記メッセージキューモジュールに送信するように操作可能である第２の処理モジュールと、
前記第２の医療感知手法に関連し、前記第４の複数のメッセージを前記メッセージキューモジュールから取り出し、前記処理された第２の患者データを第２のグラフィカルユーザインタフェース内で提示するように操作可能である第２のユーザインタフェースモジュールと、
を含み、
前記第２の医療感知手法は前記第１の医療感知手法とは異なる、医療感知システム。
【請求項９】
前記第１および第２の処理モジュールは、それぞれ前記第１および第２の患者データを同時に処理するように操作可能である、請求項８に記載の医療感知システム。
【請求項１０】
請求項１に記載の医療感知システムであって、前記第１の患者データを含む第１の複数のメッセージが、パケット化された第１の患者データを含む、該システム。
【請求項１１】
請求項１に記載の医療感知システムであって、前記第１のデータ取得モジュール、第１の処理モジュール、及び第１のユーザインタフェースモジュールは、アプリケーションプログラミングインタフェースを介して、前記メッセージキューモジュールとそれぞれ通信する、該システム。
【請求項１２】
請求項１に記載の医療感知システムであって、前記第１の医療感知手法が、以下のうちの１つである、該システム：血管内超音波（ＩＶＵＳ）撮像、血管内光音響（ＩＶＰＡ）撮像、光干渉断層撮影（ＯＣＴ）、フォワードルッキングＩＶＵＳ（ＦＬ−ＩＶＵＳ）、冠血流予備量値（ＦＦＲ）、冠血流予備能（ＣＦＲ）、および血管造影。
【請求項１３】
請求項６に記載の医療感知システムであって、第１のデータ取得モジュールは、前記第１の患者データの一部に前記情報を関連づけるように操作可能である、該システム。
【請求項１４】
請求項１に記載の医療感知システムであって、前記計算システムは、ユーザインタフェーススタックを含み、該スタックは、アプリケーションプログラミングインタフェースを前記複数のユーザインタフェースモジュールに露出するように操作可能である、該システム。
【請求項１５】
請求項１に記載の医療感知システムであって、前記メッセージキューモジュールは、前記第１の医療感知手法に関連する患者データに割り当てられた部分を含む、該システム。
【請求項１６】
請求項６に記載の医療感知システムであって、前記メッセージキューモジュールは、少なくとも以下のうちの１つに基づいて、前記第１の複数のメッセージを利用可能にするように構成される、該システム：
先入れ先出し（ＦＩＦＯ）法；及び
前記第１の患者データの一部に関連する情報に含まれる優先順位の値。
【手続補正２】
【補正対象書類名】明細書
【補正対象項目名】００３９
【補正方法】変更
【補正の内容】
【００３９】
例示実施形態を図示し、説明してきたが、広範な修正、変更および代替を前述の開示において企図している。ある事例では、本開示の一部の特徴を、該特徴に対応する別の特徴を使用することなく、使用してもよい。たとえば、一部の実施形態では、集学的処理システム１０１および２５２を用いて、頭部動脈または抹消動脈からのデータなどの心臓血管ではない診断データ、ならびに脈管ではない身体部分からのデータを処理してもよい。さらに、システム１０１および２５２を用いて、ＭＲＩデータを収集および処理してもよく、または、コンピュータ支援手術（ＣＡＳ）での応用に用いてもよい。さらに、集学的処理システムに関して前述したモジュールは、ハードウェア、ソフトウェア、またはその両方の組み合わせにおいて実装されてもよい。処理システムは、任意の特定の構造上で機能するように設計されてもよい。たとえば、本システムは、単一のコンピュータ、ローカルエリアネットワーク、クライアントサーバネットワーク、ワイドエリアネットワーク、インターネット、携帯および別のポータブルおよび無線装置およびネットワーク上で実施されてもよい。このような変形は、本開示の範囲から逸脱することなく、前述のように行うことができることを理解されたい。したがって、添付の請求項が広範に、かつ本開示の範囲と一致する様式で解釈されることが適切である。
一側面において本発明は以下の発明を包含する。
（発明１）
第１の医療感知装置に通信可能に接続する計算システムを備える医療感知システムであって、前記計算システムは、
第１の医療感知手法に関連し、前記第１の医療感知手法に関連する第１の患者データを前記第１の医療感知装置から受信するように操作可能である第１のデータ取得モジュールであって、前記第１のデータ取得モジュールは、前記第１の患者データをパケット化するように操作可能であり、複数のデータ取得モジュールのうちの１つである第１のデータ取得モジュールと、
前記第１の医療感知手法に関連し、前記パケット化された第１の患者データを処理するように操作可能である第１の処理モジュールであって、前記第１の処理モジュールは複数の処理モジュールのうちの１つである第１の処理モジュールと、
前記第１の医療感知手法に関連し、前記処理済みのパケット化された第１の患者データを第１のグラフィカルユーザインタフェース内で提示するように操作可能である第１のユーザインタフェースモジュールであって、前記第１のユーザインタフェースモジュールは複数のユーザインタフェースモジュールのうちの１つである第１のユーザインタフェースモジュールと、
前記第１のデータ取得モジュール、第１の処理モジュール、および第１のユーザインタフェースモジュールと通信するメッセージキューモジュールであって、前記メッセージキューモジュールは、前記パケット化された第１の患者データを前記モジュールから受信し、前記パケット化された第１の患者データを一時的に記憶し、前記パケット化された第１の患者データを前記モジュールによって検索可能とするように操作可能である、メッセージキューモジュールと、
を含む、医療感知システム。
（発明２）
発明１に記載の医療感知システムであって、前記計算システムはさらに、
第２の医療感知手法に関連し、前記第２の医療感知手法に関連する第２の患者データを第２の医療感知装置から受信するように操作可能である第２のデータ取得モジュールであって、前記第２のデータ取得モジュールは、前記第２の患者データをパケット化するように操作可能であり、前記複数のデータ取得モジュールのうちの１つである第２のデータ取得モジュールと、
前記第２の医療感知手法に関連し、前記パケット化された第２の患者データを処理するように操作可能である第２の処理モジュールであって、前記第２の処理モジュールは前記複数の処理モジュールのうちの１つである第２の処理モジュールと、
前記第２の医療感知手法に関連し、前記処理済みのパケット化された第２の患者データを第２のグラフィカルユーザインタフェースで提示するように操作可能である第２のユーザインタフェースモジュールであって、前記第２のユーザインタフェースモジュールは前記複数のユーザインタフェースモジュールのうちの１つである第２のユーザインタフェースモジュールと、
を含み、
前記第２の医療感知手法は前記第１の医療感知手法とは異なる、医療感知システム。
（発明３）
前記第１および第２の処理モジュールは、それぞれ前記第１および第２の患者データを同時に処理するように操作可能である、発明２に記載の医療感知システム。
（発明４）
前記第１のデータ取得モジュール、第１の処理モジュール、および第１のユーザインタフェースモジュールはそれぞれ、アプリケーションプログラミングインタフェースを介してメッセージキューモジュールと通信する、発明１に記載の医療感知システム。
（発明５）
前記第１の医療感知手法は、血管内超音波（ＩＶＵＳ）撮像、血管内光音響（ＩＶＰＡ）撮像、光干渉断層撮影（ＯＣＴ）、フォワードルッキングＩＶＵＳ（ＦＬ−ＩＶＵＳ）、冠血流予備量値（ＦＦＲ）、冠血流予備能（ＣＦＲ）、および血管造影のうちの１つである、発明１に記載の医療感知システム。
（発明６）
前記第１のデータ取得モジュールは識別情報を前記パケット化された第１の患者データに関連づけるように操作可能である、発明１に記載の医療感知システム。
（発明７）
前記識別情報は、前記第１の医療感知手法を識別する情報を含む、発明６に記載の医療感知システム。
（発明８）
処理スタックを含む前記計算システムは、アプリケーションプログラミングインタフェースを前記複数の処理モジュールに露出するように操作可能である、発明１に記載の医療感知システム。
（発明９）
前記複数の処理モジュールの既存の処理モジュールを変えずに、追加の処理モジュールが前記複数の処理モジュールに追加されてもよいという点で、前記複数の処理モジュールはお互いに独立している、発明１に記載の医療感知システム。
（発明１０）
ユーザインタフェーススタックを含む前記計算システムは、アプリケーションプログラミングインタフェースを前記複数のユーザインタフェースモジュールに露出するように操作可能である、発明１に記載の医療感知システム。
（発明１１）
前記複数のユーザインタフェースモジュールの既存のユーザインタフェースモジュールを変えずに、追加のユーザインタフェースモジュールが前記複数のユーザインタフェースモジュールに追加されてもよいという点で、前記複数のユーザインタフェースモジュールはお互いに独立している、発明１に記載の医療感知システム。
（発明１２）
第１の医療感知装置に通信可能に接続する計算システムを備える医療感知システムであって、
前記計算システムは、
第１の医療感知手法に関連し、前記第１の医療感知手法に関連する第１の患者データを前記第１の医療感知装置から受信するように操作可能である第１のデータ取得モジュールであって、前記第１の取得モジュールは、前記第１の患者データを含有する第１の複数のメッセージを作成するようにさらに操作可能である第１のデータ取得モジュールと、
前記第１の複数のメッセージを前記第１のデータ取得モジュールから受信し、一時的に記憶するように操作可能であるメッセージキューモジュールと、
前記第１の医療感知手法に関連し、前記第１の複数のメッセージを前記メッセージキューモジュールから取り出し、前記第１の複数のメッセージ内の前記第１の患者データを処理し、前記処理された第１の患者データを含有する第２の複数のメッセージを前記メッセージキューモジュールに送信するように操作可能である第１の処理モジュールと、
前記第１の医療感知手法に関連し、前記第２の複数のメッセージを前記メッセージキューモジュールから取り出し、前記処理された第１の患者データを第１のグラフィカルユーザインタフェース内で提示するように操作可能である第１のユーザインタフェースモジュールと、
を含む、医療感知システム。
（発明１３）
発明１２に記載の医療感知システムであって、
前記第１のデータ取得モジュールは複数の取得モジュールのうちの１つであり、
前記第１の処理モジュールは複数の処理モジュールのうちの１つであり、
前記第１のユーザインタフェースモジュールは複数のユーザインタフェースモジュールのうちの１つである、医療感知システム。
（発明１４）
前記計算システムは、アプリケーションプログラミングインタフェースを前記複数の処理モジュールに露出するように操作可能である処理スタックを含む、発明１３に記載の医療感知システム。
（発明１５）
前記処理スタックは、前記複数の処理モジュールまたは前記処理スタックの既存の処理モジュールを変えずに、追加の処理モジュールが前記複数の処理モジュールに追加されてもよいという点で、前記複数の処理モジュールがお互いに独立するように構成される、発明１４に記載の医療感知システム。
（発明１６）
前記複数のユーザインタフェースモジュールまたは前記処理スタックの既存のユーザインタフェースモジュールを変えずに、追加のユーザインタフェースモジュールが前記複数のユーザインタフェースモジュールに追加されてもよいという点で、前記複数のユーザインタフェースモジュールはお互いに独立している、発明１３に記載の医療感知システム。
（発明１７）
前記第１の複数のメッセージのそれぞれは、前記第１の患者データの一部と、前記第１の患者データの前記一部に関連する情報とを含有する、発明１２に記載の医療感知システム。
（発明１８）
前記情報は前記第１の医療感知手法を識別する情報を含む、発明１７に記載の医療感知システム。
（発明１９）
発明１２に記載の医療感知システムであって、前記計算システムはさらに、
第２の医療感知手法に関連し、前記第２の医療感知手法に関連する第２の患者データを第２の医療感知装置から受信するように操作可能である第２のデータ取得モジュールであって、前記第２の取得モジュールはさらに、前記第２の患者データを含有する第３の複数のメッセージを作成するように操作可能である第２のデータ取得モジュールと、
前記第２の医療感知手法に関連し、前記第３の複数のメッセージを前記メッセージキューモジュールから取り出し、前記第３の複数のメッセージ内の前記第２の患者データを処理し、前記処理された第２の患者データを含有する第４の複数のメッセージを前記メッセージキューモジュールに送信するように操作可能である第２の処理モジュールと、
前記第２の医療感知手法に関連し、前記第４の複数のメッセージを前記メッセージキューモジュールから取り出し、前記処理された第２の患者データを第２のグラフィカルユーザインタフェース内で提示するように操作可能である第２のユーザインタフェースモジュールと、
を含み、
前記第２の医療感知手法は前記第１の医療感知手法とは異なる、医療感知システム。
（発明２０）
前記第１および第２の処理モジュールは、それぞれ前記第１および第２の患者データを同時に処理するように操作可能である、発明１９に記載の医療感知システム。
（発明２１）
医療感知データの処理方法であって、
第１の患者データを第１の医療感知装置から受信することとであって、前記第１の患者データは第１の医療感知手法に関連することと、
第１の複数のメッセージを作成することであって、前記第１の複数のメッセージの各メッセージは前記第１の患者データの一部を含有することと、
前記第１の複数のメッセージをメッセージキューのキューに入れることと、
前記第１の複数のメッセージを前記メッセージキューから取り出すことと、
前記第１の複数のメッセージに含有される前記第１の患者データを処理することと、
第２の複数のメッセージを作成することであって、前記第２の複数のメッセージの各メッセージは前記処理された第１の患者データの一部を含有することと、
前記第２の複数のメッセージを前記メッセージキューのキューに入れることと、
前記第２の複数のメッセージを前記メッセージキューから取り出すことと、
前記第２の複数のメッセージに含有される前記処理された第１の患者データを第１のグラフィカルユーザインタフェース内でレンダリングすることと、
を備える、方法。
（発明２２）
発明２１に記載の医療感知データを処理する方法であって、第２の医療感知手法に関連する第２の患者データの処理と、前記第１の患者データの処理とを同時に行うことを含み、前記第２の医療感知手法は前記第１の医療感知手法とは異なる、方法。
（発明２３）
発明２１に記載の医療感知データを処理する方法であって、
前記受信すること、第１の複数のメッセージを作成すること、および前記第１の複数のメッセージをキューに入れることを、前記第１の医療感知手法に関する第１のデータ取得モジュールによって実行し、
前記第１の複数のメッセージを取り出し、処理し、前記第２の複数のメッセージを作成し、前記第２の複数のメッセージをキューに入れることを、前記第１の医療感知手法に関連する第１の処理モジュールによって実行し、
前記第２の複数のメッセージを取り出し、レンダリングすることを、前記第１の医療感知手法に関連する第１のユーザインタフェースモジュールによって実行する、方法。
（発明２４）
発明２３に記載の医療感知データを処理する方法であって、
前記第１のデータ取得モジュールは複数の取得モジュールのうちの１つであり、
前記第１の処理モジュールは複数の処理モジュールのうちの１つであり、
前記第１のユーザインタフェースモジュールは複数のユーザインタフェースモジュールのうちの１つである、方法。
（発明２５）
前記第１の複数のメッセージを作成することは、識別情報を前記第１の複数のメッセージそれぞれの前記第１の患者データの前記一部に関連づけることを含む、発明２１に記載の医療感知データを処理する方法。
（発明２６）
前記識別情報は前記第１の医療感知手法を識別する情報を含む、発明２５に記載の医療感知データを処理する方法。
（発明２７）
前記第１の患者データは、血管内超音波（ＩＶＵＳ）撮像データ、光干渉断層撮影（ＯＣＴ）データ、および冠血流予備量値（ＦＦＲ）データのうちの１つを含む、発明２１に記載の医療感知データを処理する方法。
（発明２８）
発明２１に記載の医療感知データを処理する方法であって、さらに、
第２の患者データを第２の医療感知装置から受信することであって、前記第２の患者データは、前記第１の医療感知手法とは異なる第２の医療感知手法に関連することと、
第３の複数のメッセージを作成することであって、前記第３の複数のメッセージの各メッセージは、前記第２の患者データの一部を含有することと、
前記第２の複数のメッセージを前記メッセージキューに入れることと、
前記第２の複数のメッセージを前記メッセージキューから取り出すことと、
前記第３の複数のメッセージに含有される前記第２の患者データを処理することと、
第４の複数のメッセージを作成することであって、前記第４の複数のメッセージの各メッセージは、前記処理された第２の患者データの一部を含有することと、
前記第４の複数のメッセージを前記メッセージキューのキューに入れることと、
前記第４の複数のメッセージを前記メッセージキューから取り出すことと、
前記第４の複数のメッセージに含有される前記処理された第２の患者データを、第２のグラフィカルユーザインタフェース内でレンダリングすることと、
を含む、方法。
（発明２９）
前記第１の複数のメッセージに含有される前記第１の患者データを処理することと、前記第３の複数のメッセージに含有される前記第２の患者データを処理することを同時に実行する、発明２８に記載の医療感知データを処理する方法。